【誤訳訂正書】
【提出日】平成28年7月21日(2016.7.21)
【誤訳訂正１】
【訂正対象書類名】明細書
【訂正対象項目名】全文
【訂正方法】変更
【訂正の内容】
【発明の詳細な説明】
【発明の名称】フィルム駆動アセンブリ
【技術分野】
【０００１】
本発明は、包装機械のためのフィルム駆動アセンブリに関し、詳しくは、管状袋材料に係合して、当該管状袋材料が成形器肩部を通過して包装機械へと動くようにすることに関するが排他的というわけではない。
【背景技術】
【０００２】
包装機械は、管状態袋材料を受容する。包装対象の製品が、管状袋材料の内部へと送達される。その後、包装機械は、管状袋材料を横断方向に封止及び切断して製品の袋を成形する。管状袋材料は、成形器肩部によって成形される。成形器肩部へは、包装フィルムが細片状態で送達される。成形器及び包装機械は特許文献１〜１２に記載される。
【０００３】
成形器肩部によって与えられる管状材料は、長手方向に封止される。この機能は、管状袋材料を、その長手方向に重なる両端に沿って加熱することと、当該重なる長手方向端に圧力を適用することとによって行われる。
【０００４】
長手方向の封止をうまく成形するには、管状袋材料は、圧力適用時にプラスチック材料が溶融して封止を成形するように必須温度まで加熱する必要がある。管状袋材料の温度は、袋材料が、加熱された裏当て棒又は加熱棒を通過することによって、必須温度まで上昇される。
【０００５】
袋材料は、フィルム駆動アセンブリによって引っ張られて成形器肩部を通過し、包装機械へと送達される。かかるアセンブリは、ローラと、駆動面を有するベルトとを含んでいた。駆動表面からは導管が延びる。導管は低減された空気圧にさらされるので、袋材料は、駆動面に係合するように引き込まれ、駆動面と袋材料との一群の摩擦係合が得られる。
【０００６】
駆動ベルトが用いられていた場合、駆動ベルトは、上側プーリと下側プーリとの間に延びる。上側プーリと下側プーリとは、いずれかが駆動される。多岐管がベルトの内側面に係合し、低減された空気圧が、当該多岐管へと送達される。そして多岐管は、ベルトを介して導管に連通する。多岐管は、管状袋材料に係合するベルトの長さ部分に隣接して配置される。このベルトの長さ部分は、一般に直線状の経路に沿って延び、一般に直立状態である。
【０００７】
プーリ同士の間に配置されかつ多岐管に隣接して配置されるのが、加熱棒である。加熱棒は、管状袋材料の長手方向重なり部分に向かうように付勢され、複数の長手端部分を一緒に封止固定する。
【０００８】
上述した駆動アセンブリの欠点は、管状袋材料の進行方向において、かなりの長手方向距離を占めることにある。特に、当該機械が高いことと、管状袋材料の長さ部分が、包装機械の封止挟持部の上方に存在することとが欠点となる。
【先行技術文献】
【特許文献】
【０００９】
【特許文献１】米国特許第４９１０９４３号明細書
【特許文献２】米国特許第５６２２０３２号明細書
【特許文献３】米国特許第４６６３９１７号明細書
【特許文献４】米国特許第６６５５１１０号明細書
【特許文献５】米国特許第７１５９３７６号明細書
【特許文献６】米国特許第７６００６３０号明細書
【特許文献７】米国特許第７３８３６７２号明細書
【特許文献８】米国特許第４７５３３３６号明細書
【特許文献９】米国特許第７１２４５５９号明細書
【特許文献１０】米国特許第７４１５８０９号明細書
【特許文献１１】米国特許第７１５２３８７号明細書
【特許文献１２】米国特許第７４７２５２８号明細書
【発明の概要】
【発明が解決しようとする課題】
【００１０】
本発明の目的は、上述した欠点の少なくとも一つを克服し又は実質的に改善することにある。
【課題を解決するための手段】
【００１１】
ここに開示されるのは、細片フィルムの材料に係合して当該材料を動かすフィルム駆動アセンブリである。駆動アセンブリは、当該材料に摩擦係合する駆動面を有するループ状駆動のベルトと、低減された空気圧にさらされる多岐管と、当該ベルトに係合する駆動プーリと、複数のベルト係合デバイスとを含み、当該ベルトは、一般に直線状の第１経路部分を含む所定経路に沿って動き、当該第１経路部分に沿って当該駆動面は当該ベルトに係合し、当該ベルトは、当該面から当該ベルトを横断方向に通って延びる複数の導管を有し、当該多岐管は当該導管と当該経路部分の少なくとも一部に対して連通し、当該導管は低減された空気圧にさらされ、当該材料にわたる空気圧差によって当該材料は当該面に向かって付勢され、当該駆動プーリは、当該ベルトが、所定方向において当該経路に沿って動くようにし、当該ベルトは、当該第１経路部分を与えるべく第１の係合デバイスと当該プーリとの間に延び、当該デバイスは協働して第２経路部分及び第３経路部分を与え、当該第２経路部分及び第３経路部分は、当該第１経路部分に対し、当該第１経路部分から離れるように延びる方向を有する。
【００１２】
好ましくは、第１デバイス及び第２デバイスを含む２つのデバイスが存在する。
【００１３】
好ましくは、第１及び第２ベルト係合デバイスはプーリである。
【００１４】
好ましくは、第２及び第３部分は直線状である。
【００１５】
好ましくは、アセンブリは、当該第１経路部分に、袋材料を加熱して当該袋材料と接触するように付勢される加熱棒を含む。
【００１６】
好ましくは、当該ベルトは第１ベルトであり、当該アセンブリは第２ベルトを含み、当該第２ベルトは、当該第１ベルトに対して一般に平行であって駆動面を含み、当該第２ベルトの駆動面から当該第２ベルトの横断方向に複数の導管が延び、当該第２ベルトの導管は多岐管と連通し、当該第２ベルトの導管はまた、低減された空気圧にさらされ、袋材料が当該第２ベルトに係合するように付勢される。
【００１７】
好ましくは、第２ベルトはまた、駆動プーリ並びに第１及び第２ベルト係合デバイスのまわりに延びる。
【図面の簡単な説明】
【００１８】
本発明の好ましい態様が、添付図面を参照して例示により以下に説明される。
【００１９】
【図１】成形器アセンブリと、管状袋材料に係合し、当該袋材料を引っ張って当該成形器アセンブリを通過させる駆動部との模式的な等角図である。
【図２】図１の成形器アセンブリ及び駆動部の模式的な側面図である。
【図３】図１及び２の成形器アセンブリの成形器肩部の模式的な等角図である。
【図４】図３の成形器肩部の模式的な正面図である。
【図５】図３の成形器肩部の模式的な側面図である。
【図６】図５に示される６−６線に沿って切り取られた成形器肩部の模式的な断面正面図である。
【図７】図３の成形器肩部の模式的な上面図である。
【発明を実施するための形態】
【００２０】
添付図面において、成形器アセンブリ１０が模式的に描かれる。従来型の成形器アセンブリは特許文献９及び１０に記載される。
【００２１】
成形器アセンブリ１０は、基部１１を含む。基部１１には、スリーブ１３を支持する枠体１２が取り付けられる。スリーブ１３は、一般に上方に延びる導管１４を封止する。導管１４には、特許文献６及び欧州特許出願第０８２９０９５７３号に開示されるような計量機械から製品がバッチで送達される。スリーブ１３は、外部成形器面１６を有する成形器肩部１５を貫通する。外部成形器面１６には細片フィルム材料が送達され、管状構成に成形される。製品は、導管１４に送達されることにより、管状袋材料の内部へと送達される。駆動アセンブリ１７の下方に位置決めされた、特許文献８に開示されるような包装機械が袋材料を横断方向に封止及び切断し、製品の袋が成形される。
【００２２】
成形器アセンブリ１２は、管状袋材料の内部に不活性ガスを送達するダクト１８を含む。
【００２３】
成形器肩部１５が、図３〜７にさらに十分に描かれる。本実施形態の肩部１５は、一般に中心の円形アパチャ１８を取り囲む外部面１６を有する。円形アパチャ１８を介して製品が、管状袋材料の内部へと送達される。スリーブ１３は、アパチャ１８を貫通し、肩部１５の内部キャビティ１９を通って突出する。キャビティ１９は、肩部１５の内部面２０によって取り囲まれる。
【００２４】
上述の好ましい実施形態において、アパチャ１８は一般に円形である。しかしながら、他の実施形態においては、アパチャ１８は、成形される袋の構成に応じて一般に正方形又は矩形でもよい。
【００２５】
肩部１５は、一般に中心の直立長手方向軸２１まわりに曲げられたステンレス鋼のシートから成形される。シートは、折り畳まれた後端２２で終端する。後端２２は、枠体１２の横断方向部材２３に固定される。軸２１は、アパチャ１８の中心軸である。
【００２６】
内部面２０に固定されるのは、外部面１６を加熱する複数の加熱器２４である。外部面１６の上をフィルム袋材料が通過して加熱される。複数の加熱器２４は、アパチャ１８に対する対向側に配置される。特に、アパチャ１８及び軸２１は、加熱器２４同士の間に配置される。詳しくは、加熱器２４は、軸２１の対向側に対称的に配列され、軸２１まわりに斜めに延びる。各加熱器は、横断方向幅と、当該幅よりも大きな長手方向長さとを有する。各加熱器２４は、軸２１まわりに長手方向に対して斜めに延びる。
【００２７】
管状袋材料が成形器肩部１５を通過するときに加熱することは、駆動アセンブリ１７によって加熱される必要がある管状袋材料の長さを低減するという利点を有する。したがって、駆動アセンブリ１７の高さを低減することができる。
【００２８】
加熱器２４は、電気抵抗加熱器でよい。すなわち、加熱器２４は、電力が適用されると温度が高くなる電気抵抗器を有し、ひいては面１６の温度を上昇させる。
【００２９】
面１６の上に延びるフィルム袋材料は、重なる長手方向端によって管状態に成形される。加熱器２４は、袋材料の長手方向端を加熱するように配置される。
【００３０】
枠体１２によって支持されるべく固定されるのは、裏当て棒２５である。裏当て棒２５は、管状袋材料の内部に配置される。管状袋材料は、裏当て棒２５と駆動ベルト２６との間に配置される。裏当て棒２５は加熱器を含み得るので、管状袋材料の、重なるように長手方向に延びる端部分が加熱される。
【００３１】
ベルト２６は、管状袋材料に係合して、当該管状袋材料を下方向２７へと送り、成形器肩部１５を通過させてアセンブリ１７の下にある包装機械へと送達する。包装機械は、特許文献８に開示される包装機械でよい。
【００３２】
ベルト２６は、駆動プーリ２９によって、ループまわりの方向２８に駆動される。プーリ２９は、シャフトを介して駆動モータに接続される。ベルト２６は、遊びプーリ３０及び３１まわりに延びる。ベルト２６は、プーリ２９とプーリ３０との間を、裏当て棒２５及び軸２１に平行な直線状経路に沿って延びる。
【００３３】
裏当て棒２５に隣接して配置されるのは、真空が適用される真空多岐管３２である。ベルト２６は、多岐管３２によって与えられる真空チャンバと連通する複数のアパチャ（図示せず）を有する。低減された空気圧が管状袋材料の一側に適用され、当該管状袋材料は、ベルト２６の駆動面と接触するように付勢される。真空駆動アセンブリは特許文献１及び９に示される。
【００３４】
複数の多岐管３２間に配置されるのは、加熱棒３３である。加熱棒３３は、管状袋材料の温度上昇を再び補助するべく電気的に加熱される。棒３３及び裏当て棒２５によって管状袋材料に適用される圧力が、管状袋材料の長手方向端部分の、封止接続されるような溶融を引き起こす。棒３３は、図示しないばねによって棒２５に向かって付勢される。
【００３５】
ベルト２６を駆動させるべく、プーリ２９には、ベルト２６の駆動面の歯３７と係合する複数の駆動歯３６が設けられる。
【００３６】
プーリ３０及び３１は、ベルト係合デバイスを与える。ベルト係合デバイスのまわりにベルト２６が延びる。本実施形態では、ベルト係合デバイスはプーリである。
【００３７】
プーリ３１からプーリ２９へと延びるとき、ベルト２６は第１直線状経路部分３９に沿って延びる。プーリ２９からプーリ３０へと延びるとき、ベルト２６は第２直線状経路部分４０に沿って延びる。プーリ３０からプーリ３１へと延びるとき、ベルト２６は第３直線状経路部分４１に沿って延びる。経路部分４０及び４１は、経路部分３９に対して鋭角で傾斜する。したがって、経路部分４０及び４１は、経路部分３９から離れるように延びる方向を有する。なお、本実施形態では、３つのプーリ２９、３０及び３１が存在する。しなしながら、より多くのプーリを用いて、経路部分の数を増やしてもよい。
【００３８】
上述した駆動アセンブリ１０の利点は、プーリ２９及び３１の回転軸３４及び３５間の距離が、従来型の機械と比べて低減されることにある。これは、管状袋材料を、拡張された長さにわたって加熱する必要性がもはや存在しないからである。軸３４及び３５間の距離がこのように低減されることにより、さらなる遊びプーリ３０が必須となる。
【００３９】
本発明の上述した好ましい実施形態は、アパチャ１８と包装機械との間において管状袋材料の全体的な長さを低減するという利点を与える。この長さを低減することにより、包装対象製品が、短い長手方向長さ（軸２１に平行な長さ）を有するバッチで維持されることがわかる。
【誤訳訂正２】
【訂正対象書類名】特許請求の範囲
【訂正対象項目名】全文
【訂正方法】変更
【訂正の内容】
【特許請求の範囲】
【請求項１】
長手方向に延びる端が重なる細片フィルムの袋材料に係合して前記袋材料を動かすフィルム駆動アセンブリであって、
前記袋材料に摩擦係合する駆動面を有するループ状駆動のベルトと、
低減された空気圧にさらされる多岐管と、
前記ベルトに係合する駆動プーリと、
前記長手方向に延びる端を加熱して長手方向の封止を形成する加熱棒と、
複数のベルト係合デバイスと
を含み、
前記ベルトは、一般に直線状の第１経路部分を含む所定経路に沿って動き、
前記第１経路部分に沿って前記駆動面は前記袋材料に係合し、
前記ベルトは、前記駆動面から前記ベルトを貫通して延びる複数の導管を有し、
前記多岐管は前記第１経路部分の少なくとも一部に対して前記導管と連通し、
前記導管は低減された空気圧にさらされ、
前記袋材料にわたる空気圧差によって前記袋材料は前記駆動面に向かって付勢され、
前記駆動プーリは、前記ベルトが、所定方向において前記所定経路に沿って動くようにし、
前記ベルトは、前記第１経路部分を与えるべく第１の係合デバイスと前記駆動プーリとの間に延び、
前記複数のベルト係合デバイスは協働して第２経路部分及び第３経路部分を与え、
前記第２経路部分及び第３経路部分は、前記第１経路部分に対し、前記第１経路部分から離れるように延びる方向を有し、
前記加熱棒は前記第１経路部分に配置されるフィルム駆動アセンブリ。
【請求項２】
前記複数のベルト係合デバイスは、第１のベルト係合デバイス及び第２のベルト係合デバイスを含む請求項１のフィルム駆動アセンブリ。
【請求項３】
前記第１のベルト係合デバイス及び第２のベルト係合デバイスはプーリである請求項２のフィルム駆動アセンブリ。
【請求項４】
前記第２経路部分及び第３経路部分は直線状である請求項１、２又は３のフィルム駆動アセンブリ。
【請求項５】
前記第１経路部分において、前記袋材料を加熱して前記袋材料と接触するように付勢される加熱棒をさらに含む請求項１から４のいずれか一項のフィルム駆動アセンブリ。
【請求項６】
前記ベルトは第１ベルトであり、
前記フィルム駆動アセンブリは第２ベルトを含み、
前記第２ベルトは、前記第１ベルトに対して一般に平行であり、駆動面と、前記駆動面から前記第２ベルトを貫通して延びる複数の導管とを含み、
前記第２ベルトの導管は前記多岐管と連通し、
前記第２ベルトの導管もまた、低減された空気圧にさらされ、前記袋材料が前記第２ベルトに係合するように付勢される請求項１から４のいずれか一項のフィルム駆動アセンブリ。
【請求項７】
前記第２ベルトもまた、前記駆動プーリ並びに第１及び第２のベルト係合デバイスまわりに延びる請求項６のフィルム駆動アセンブリ。
【請求項８】
前記駆動プーリは前記第１ベルト及び第２ベルトの双方に係合し、前記第１ベルト及び第２ベルトが同期して駆動される請求項６又は７のフィルム駆動アセンブリ。
【請求項９】
前記加熱棒は、前記第１ベルトと前記第２ベルトとの間に配置される請求項６、７又は８のフィルム駆動アセンブリ。
【請求項１０】
前記多岐管は第１多岐管であり、
前記フィルム駆動アセンブリは第２多岐管を含み、
前記第１多岐管は、低減された空気圧を前記第１ベルトに適用するべく前記第１ベルトに動作的に関連付けられ、
前記第２多岐管は、低減された空気圧を前記第２ベルトに適用するべく前記第２ベルトに動作的に関連付けられる請求項９のフィルム駆動アセンブリ。